(57)【要約】【課題】像担持体に光を照射する光源部を固定するための部品点数を削減することが可能な画像形成装置を提供する。【解決手段】この発明によるプリンタ１００（画像形成装置）では、ハウジング部１２と、Ｃ１方向を回転軸として回転可能にハウジング部１２に取り付けられた感光体ドラム７０と、Ｃ１方向に沿って延びるように配置され、感光体ドラム７０に光を照射させるＬＰＨ７９と、Ｃ１方向におけるＬＰＨ７９のハウジング部１２に対する移動を規制する第１規制部１３２と、Ｃ２方向におけるＬＰＨ７９のハウジング部１２に対する移動を規制する第２規制部１３３と、Ｃ３方向におけるＬＰＨ７９のハウジング部１２に対する移動を規制する第３規制部１３４とが一体的に設けられ、ＬＰＨ７９のＣ１方向における一方の端部近傍において、ＬＰＨ７９をハウジング部１２に固定する光源固定部材１３とを備える。【選択図】図５
2015047861.tif 000002
【特許請求の範囲】
【請求項１】
ハウジング部と、
第１方向を回転軸として回転可能に前記ハウジング部に取り付けられた像担持体と、
前記第１方向に沿って延びるように配置され、前記像担持体に光を照射させる光源部と、
前記第１方向における前記光源部の前記ハウジング部に対する移動を規制する第１規制部と、前記第１方向と交差する第２方向における前記光源部の前記ハウジング部に対する移動を規制する第２規制部と、前記第１方向および前記第２方向とそれぞれ交差する第３方向における前記光源部の前記ハウジング部に対する移動を規制する第３規制部とが一体的に設けられ、前記光源部の前記第１方向における少なくとも一方の端部近傍において、前記光源部を前記ハウジング部に固定する光源固定部材とを備える、画像形成装置。
【請求項２】
前記光源固定部材は、前記第１方向において前記光源部を前記第１規制部により一方端側から他方端側に付勢し、前記第２方向において前記光源部を前記第２規制部により前記像担持体側に付勢するように構成されている、請求項１に記載の画像形成装置。
【請求項３】
前記第１方向、前記第２方向および前記第３方向は、互いに略直角に交差している、請求項１または２に記載の画像形成装置。
【請求項４】
前記第１方向における前記光源部の他方端側に配置された第１係合部をさらに備え、
前記第１係合部は、前記ハウジング部の第２係合部に係合して、前記光源部の前記第１方向の位置決めを行うように構成されている、請求項１〜３のいずれか１項に記載の画像形成装置。
【請求項５】
前記第１係合部は、端部に向かって径が小さくなるテーパ部を含み、前記テーパ部が前記第２係合部に当接することにより、前記光源部の前記第１方向の位置決めを行うように構成されている、請求項４に記載の画像形成装置。
【請求項６】
前記第１係合部は、端部が前記ハウジング部の凹状の第２係合部の底部に当接することにより、前記光源部の前記第１方向の位置決めを行うように構成されている、請求項４に記載の画像形成装置。
【請求項７】
前記第１方向における前記光源部の他方端側に配置され、前記光源部を前記像担持体側に付勢する付勢部をさらに備える、請求項４〜６のいずれか１項に記載の画像形成装置。
【請求項８】
前記光源固定部材は、締結部材により前記ハウジング部に固定されている、請求項１〜７のいずれか１項に記載の画像形成装置。
【請求項９】
前記光源固定部材は、板バネを含む、請求項１〜８のいずれか１項に記載の画像形成装置。
【発明の詳細な説明】
【技術分野】
【０００１】
この発明は、画像形成装置に関し、特に、像担持体に光を照射させる光源部を備えた画像形成装置に関する。
【背景技術】
【０００２】
従来、像担持体に光を照射させる光源部を備えた画像形成装置が知られている（たとえば、特許文献１参照）。
【０００３】
上記特許文献１には、ハウジングと、第１方向を回転軸として回転可能にハウジングに取り付けられた感光体ドラム（像担持体）と、第１方向に沿って延びるように配置され、感光体ドラムに光を照射させるＬＥＤプリントヘッド（光源部）と、第１方向および第１方向と交差する第２方向におけるＬＥＤプリントヘッドのハウジングに対する移動を規制する第１バネ部材と、第１バネ部材とは別個に設けられ、第１方向および第２方向とそれぞれ交差する第３方向におけるＬＥＤプリントヘッドのハウジングに対する移動を規制する第２バネ部材とを備えた画像形成装置が開示されている。
【先行技術文献】
【特許文献】
【０００４】
【特許文献１】特開２０１０−２２１５１０号公報
【発明の概要】
【発明が解決しようとする課題】
【０００５】
しかしながら、上記特許文献１に記載の画像形成装置では、第１方向および第１方向と交差する第２方向におけるＬＥＤプリントヘッドのハウジングに対する移動を規制する第１バネ部材と、第１方向および第２方向とそれぞれ交差する第３方向におけるＬＥＤプリントヘッドのハウジングに対する移動を規制する第２バネ部材とを別個に設けているため、その分、部品点数が増加するという問題点がある。
【０００６】
この発明は、上記のような課題を解決するためになされたものであり、この発明の１つの目的は、像担持体に光を照射する光源部を固定するための部品点数を削減することが可能な画像形成装置を提供することである。
【課題を解決するための手段】
【０００７】
この発明の一の局面による画像形成装置は、ハウジング部と、第１方向を回転軸として回転可能にハウジング部に取り付けられた像担持体と、第１方向に沿って延びるように配置され、像担持体に光を照射させる光源部と、第１方向における光源部のハウジング部に対する移動を規制する第１規制部と、第１方向と交差する第２方向における光源部のハウジング部に対する移動を規制する第２規制部と、第１方向および第２方向とそれぞれ交差する第３方向における光源部のハウジング部に対する移動を規制する第３規制部とが一体的に設けられ、光源部の第１方向における少なくとも一方の端部近傍において、光源部をハウジング部に固定する光源固定部材とを備える。
【０００８】
この発明の一の局面による画像形成装置では、上記のように、第１方向における光源部のハウジング部に対する移動を規制する第１規制部と、第１方向と交差する第２方向における光源部のハウジング部に対する移動を規制する第２規制部と、第１方向および第２方向とそれぞれ交差する第３方向における光源部のハウジング部に対する移動を規制する第３規制部とが一体的に設けられた光源固定部材を備えることによって、第１方向の移動を規制する第１規制部と、第２方向の移動を規制する第２規制部と、第３方向の移動を規制する第３規制部とを別個に設ける場合に比べて、像担持体に光を照射する光源部を固定するための部品点数を削減することができる。また、第１規制部と、第２規制部と、第３規制部とを順次取り付ける場合に比べて、組み立ての際の工程数を減少させることができる。
【０００９】
上記一の局面による画像形成装置において、好ましくは、光源固定部材は、第１方向において光源部を第１規制部により一方端側から他方端側に付勢し、第２方向において光源部を第２規制部により像担持体側に付勢するように構成されている。このように構成すれば、像担持体の回転軸方向である第１方向において、像担持体に対して光源部を確実に位置決めして固定することができるとともに、像担持体および光源部の離間方向である第２方向において、像担持体に対して光源部を確実に位置決めして固定することができる。
【００１０】
上記一の局面による画像形成装置において、好ましくは、第１方向、第２方向および第３方向は、互いに略直角に交差している。このように構成すれば、第１規制部、第２規制部および第３規制部により、それぞれ、第１方向、第２方向および第３方向の移動を規制して、光源部をバランスよく固定することができる。
【００１１】
上記一の局面による画像形成装置において、好ましくは、第１方向における光源部の他方端側に配置された第１係合部をさらに備え、第１係合部は、ハウジング部の第２係合部に係合して、光源部の第１方向の位置決めを行うように構成されている。このように構成すれば、光源部の第１方向における他方端側において第１係合部および第２係合部を係合させて、光源部の第１方向の位置決めを行った上で、光源部の第１方向における一方端側において光源部の第１方向、第２方向および第３方向の移動を規制して光源部をハウジング部に固定することができる。
【００１２】
上記第１係合部を備える構成において、好ましくは、第１係合部は、端部に向かって径が小さくなるテーパ部を含み、テーパ部が第２係合部に当接することにより、光源部の第１方向の位置決めを行うように構成されている。このように構成すれば、第１係合部のテーパ部を第２係合部に当接させて篏合させることができるので、第１係合部と第２係合部との係合隙間を無くすことができる。これにより、ガタツキを無くすことができる。
【００１３】
上記第１係合部を備える構成において、好ましくは、第１係合部は、端部がハウジング部の凹状の第２係合部の底部に当接することにより、光源部の第１方向の位置決めを行うように構成されている。このように構成すれば、第１係合部の端部が凹状の第２係合部の底部に当接するので、光源部の第１方向の位置決めを精度よく行うことができる。
【００１４】
上記第１係合部を備える構成において、好ましくは、第１方向における光源部の他方端側に配置され、光源部を像担持体側に付勢する付勢部をさらに備える。このように構成すれば、光源部の第１方向における他方端側において光源部を像担持体側に付勢しつつ、光源部の第１方向における一方端側において光源部の第１方向、第２方向および第３方向の移動を規制して、光源部をハウジング部に対して精度よく位置決めしつつ、確実に固定することができる。
【００１５】
上記一の局面による画像形成装置において、好ましくは、光源固定部材は、締結部材によりハウジング部に固定されている。このように構成すれば、締結部材により光源固定部材をハウジング部に確実に固定することができるので、光源固定部材を介して、容易に光源部をハウジング部に固定することができる。
【００１６】
上記一の局面による画像形成装置において、好ましくは、光源固定部材は、板バネを含む。このように構成すれば、１つの板バネにより第１方向、第２方向および第３方向の移動を規制して光源部を容易にハウジング部に固定することができる。
【発明の効果】
【００１７】
本発明によれば、上記のように、像担持体に光を照射する光源部を固定するための部品点数を削減することが可能な画像形成装置を提供することができる。
【図面の簡単な説明】
【００１８】
【図１】本発明の第１実施形態によるプリンタの全体構成を示した模式図である。
【図２】本発明の第１実施形態によるプリンタのハウジング部に取り付けられたＬＰＨを示した斜視図である。
【図３】本発明の第１実施形態によるプリンタのＬＰＨを示した斜視図である。
【図４】本発明の第１実施形態によるプリンタの光源固定部材を示した斜視図である。
【図５】本発明の第１実施形態によるプリンタのＬＰＨのＸ２方向側端部の取付構造を示した斜視図である。
【図６】本発明の第１実施形態によるプリンタのＬＰＨのＸ２方向側端部の取付構造を示した側面図である。
【図７】本発明の第１実施形態によるプリンタのＬＰＨのＸ１方向側端部の取付構造を示した斜視図である。
【図８】本発明の第１実施形態によるプリンタのＬＰＨのＸ１方向側端部の取付構造を示した断面斜視図である。
【図９】本発明の第２実施形態によるプリンタのＬＰＨのＸ１方向側端部の取付構造を示した側面図である。
【図１０】本発明の第２実施形態によるプリンタのＬＰＨのＸ１方向側端部の取付構造を示した断面図である。
【図１１】本発明の第３実施形態によるプリンタのＬＰＨのＸ１方向側端部の取付構造を示した側面図である。
【図１２】本発明の第３実施形態によるプリンタのＬＰＨのＸ１方向側端部の取付構造を示した断面図である。
【発明を実施するための形態】
【００１９】
以下、本発明を具体化した実施形態を図面に基づいて説明する。
【００２０】
（第１実施形態）
図１〜図８を参照して、本発明の第１実施形態によるプリンタ１００の構成について説明する。
【００２１】
本発明の第１実施形態によるプリンタ１００は、図１に示すように、給紙のために用紙Ｐを載置する給紙トレイ１と、給紙トレイ１に載置された用紙Ｐをプリンタ１００内部へ取り込むための取込ローラ２と、用紙Ｐを印刷位置へと搬送するための一対の搬送ローラ３と、用紙Ｐを印刷位置へと送るための供給ローラ４と、用紙Ｐを排紙トレイ５に排出するための一対の排紙ローラ６とを備えている。また、プリンタ１００は、用紙Ｐに画像を印刷するための現像装置７と、現像装置７が担持する画像を用紙Ｐに転写するための転写ローラ８とを備えている。なお、プリンタ１００は、本発明の「画像形成装置」の一例である。
【００２２】
また、プリンタ１００は、用紙Ｐを加熱して画像を定着させるための定着ローラ９と、定着ローラ９に用紙Ｐを圧着させるための圧着ローラ１０とを備えている。また、プリンタ１００は、用紙Ｐが矢印Ａで示した搬送経路を搬送されるように構成されている。また、プリンタ１００は、プリンタ１００の外形を形成する筐体１１と、筐体１１の内部に配置されるとともに、プリンタ１００の各構成要素を取り付け可能なハウジング部１２とを備えている。
【００２３】
現像装置７は、図１に示すように、Ｘ方向を回転軸として回転可能にハウジング部１２に取り付けられ、用紙Ｐにトナーを付着させて印刷するための感光体ドラム７０と、感光体ドラム７０にトナーを供給するための現像ローラ７１と、現像ローラ７１にトナーを送るためのトナー送りローラ７２および規制ローラ７３とを含んでいる。現像ローラ７１、トナー送りローラ７２および規制ローラ７３は、共に、トナー担持領域７４に配置されている。なお、感光体ドラム７０は、本発明の「像担持体」の一例である。また、Ｘ方向は、本発明の「第１方向」の一例である。
【００２４】
また、現像装置７は、トナー担持領域７４にトナーを供給するトナー供給通路７５と、新しいトナーが貯留されたトナーカートリッジ７６とを含んでいる。また、現像装置７は、感光体ドラム７０と対向する位置に配置され、感光体ドラム７０の表面に負電荷を帯電させるための帯電ローラ７７と、感光体ドラム７０から帯電ローラ７７の表面上に移動したトナーを回収するためのクリーニング部７８と、感光体ドラム７０に光を照射するためのＬＰＨ（ＬＥＤプリントヘッド）７９とを含んでいる。感光体ドラム７０、帯電ローラ７７、クリーニング部７８、ＬＰＨ７９および転写ローラ８は、ハウジング部１２に取り付けられている。なお、ＬＰＨ７９は、本発明の「光源部」の一例である。
【００２５】
感光体ドラム７０は、帯電ローラ７７により表面が負電荷を帯びるように構成されている。また、印刷時の感光体ドラム７０では、感光体ドラム７０の回転方向Ｂに沿って、まず、ＬＰＨ７９からの光が感光体ドラム７０の所定の表面に照射されて、照射された位置の表面の負電荷が除去される。これにより、感光体ドラム７０の表面のうち、負電荷が除去された領域に静電潜像が作成される。一方、現像ローラ７１では、規制ローラ７３により表面に付着したトナーが負電荷を帯びるように摩擦帯電される。その後、現像ローラ７１により供給される負に帯電されたトナーが、感光体ドラム７０の静電潜像に付着する。そして、正電荷を帯びた転写ローラ８に向かって感光体ドラム７０から負電荷を帯びるトナーが移動することによって、転写ローラ８と感光体ドラム７０との間に配置された用紙Ｐにトナーが吸着（転写）される。この結果、感光体ドラム７０の静電潜像に基づいて、用紙Ｐに印刷が行われるように構成されている。
【００２６】
その後、感光体ドラム７０では、表面の負電荷が除去された後に、帯電ローラ７７により表面に残留したトナーが回収されるとともに、再び感光体ドラム７０の外周面に一様に負電荷が帯電される。そして、クリーニング部７８により帯電ローラ７７の表面に付着したトナーが回収されるように構成されている。
【００２７】
ハウジング部１２は、図２に示すように、側面部１２１および１２２と、本体部１２３とを含む。側面部１２１は、Ｘ２方向側の側面を形成している。また、側面部１２２は、Ｘ１方向側の側面を形成している。また、感光体ドラム７０、帯電ローラ７７（図１参照）、クリーニング部７８（図１参照）、ＬＰＨ７９および転写ローラ８は、側面部１２１および１２２によりＸ方向における両端部が支持されるようにしてハウジング部１２に取り付けられている。
【００２８】
図３に示すように、ＬＰＨ７９は、Ｘ方向に沿って延びるようにハウジング部１２に配置されるように構成されている。また、ＬＰＨ７９は、感光体ドラム７０に光を照射するように構成されている。具体的には、ＬＰＨ７９は、Ｘ方向に沿って配列された複数のＬＥＤ（発光ダイオード）を含む。また、ＬＰＨ７９は、ＬＥＤが配置されている本体部７９１と、Ｘ１方向側の端部に配置された突出部７９２と、Ｘ２方向側の端部に配置された固定部７９３とが一体的に設けられている。また、ＬＰＨ７９は、突出部７９２がハウジング部１２のＸ１方向側の側面部１２２に取り付けられ、固定部７９３がハウジング部１２のＸ２方向側の側面部１２１に取り付けられることにより、ハウジング部１２に取り付けられる。なお、突出部７９２は、本発明の「第１係合部」の一例である。
【００２９】
ここで、第１実施形態では、図５に示すように、ＬＰＨ７９は、Ｘ２方向側の端部近傍において、光源固定部材１３によりハウジング部１２に固定されている。ＬＰＨ７９は、固定部７９３が、ハウジング部１２に載置された状態で、光源固定部材１３により、Ｃ１方向、Ｃ２方向およびＣ３方向に付勢されて、ハウジング部１２に固定されている。なお、Ｃ１方向、Ｃ２方向およびＣ３方向は、それぞれ、本発明の「第１方向」、「第２方向」および「第３方向」の一例である。
【００３０】
図４に示すように、光源固定部材１３は、取付部１３１と、Ｃ１方向におけるＬＰＨ７９のハウジング部１２に対する移動を規制する第１規制部１３２と、Ｃ１方向と交差するＣ２方向におけるＬＰＨ７９のハウジング部１２に対する移動を規制する第２規制部１３３と、Ｃ１方向およびＣ２方向とそれぞれ交差するＣ３方向におけるＬＰＨ７９のハウジング部１２に対する移動を規制する第３規制部１３４とが一体的に設けられている。また、光源固定部材１３は、板バネにより構成されている。なお、図５および図６に示すように、Ｃ１方向は、感光体ドラム７０の軸方向（Ｘ方向）である。また、Ｃ２方向は、感光体ドラム７０の半径方向である。また、Ｃ３方向は、感光体ドラム７０の円周方向である。つまり、Ｃ１方向、Ｃ２方向およびＣ３方向は、互いに略直角に交差している。
【００３１】
また、光源固定部材１３は、Ｃ１方向においてＬＰＨ７９を第１規制部１３２によりＸ２方向端部側からＸ１方向端部側に付勢し、Ｃ２方向においてＬＰＨ７９を第２規制部１３３により感光体ドラム７０側に付勢するように構成されている。具体的には、図３および図６に示すように、ＬＰＨ７９の固定部７９３は、断面が略Ｕ字形状に形成されている。そして、光源固定部材１３の第１規制部１３２は、略Ｕ字形状の固定部７９３の内側において、ＬＰＨ７９の本体部７９１のＸ２方向側の端面に当接してＣ１方向に付勢するように構成されている。また、光源固定部材１３の第２規制部１３３は、ＬＰＨ７９の固定部７９３のＹ２方向側の端面に当接してＣ２方向に付勢するように構成されている。また、光源固定部材１３の第３規制部１３４は、ＬＰＨ７９の固定部７９３のＺ２方向側の端面に当接してＣ３方向に付勢するように構成されている。
【００３２】
また、光源固定部材１３は、ネジなどの締結部材１３ａによりハウジング部１２に固定されている。具体的には、図４に示すように、光源固定部材１３は、取付部１３１に設けられたネジ挿入穴１３１ａおよびダボ穴１３１ｂを含む。図５に示すように、光源固定部材１３は、ハウジング部１２のダボ１２１ａがダボ穴１３１ｂに挿入されるとともに、ネジ挿入穴１３１ａを介して締結部材１３ａによりハウジング部１２に固定（ネジ止め）されている。
【００３３】
また、第１実施形態では、図７に示すように、ＬＰＨ７９は、Ｘ１方向側の端部に配置された突出部７９２が、ハウジング部１２の側面部１２２に設けられた係合穴１２２ａに係合している。これにより、ＬＰＨ７９のＸ方向の位置決めが行われる。なお、係合穴１２２ａは、本発明の「第２係合部」の一例である。また、図８に示すように、突出部７９２は、端部に向かって（Ｘ１方向に向かって）径が小さくなるテーパ部７９２ａを含み、テーパ部７９２ａが係合穴１２２ａに当接することにより、ＬＰＨ７９のＸ１方向（Ｃ１方向）の位置決めを行うように構成されている。また、突出部７９２は、中空形状に形成されている。
【００３４】
第１実施形態では、以下のような効果を得ることができる。
【００３５】
すなわち、第１実施形態では、上記のように、Ｃ１方向におけるＬＰＨ７９のハウジング部１２に対する移動を規制する第１規制部１３２と、Ｃ２方向におけるＬＰＨ７９のハウジング部１２に対する移動を規制する第２規制部１３３と、Ｃ３方向におけるＬＰＨ７９のハウジング部１２に対する移動を規制する第３規制部１３４とが一体的に設けられた光源固定部材１３を備えることによって、Ｃ１方向の移動を規制する第１規制部と、Ｃ２方向の移動を規制する第２規制部と、Ｃ３方向の移動を規制する第３規制部とを別個に設ける場合に比べて、感光体ドラム７０に光を照射するＬＰＨ７９を固定するための部品点数を削減することができる。また、第１規制部と、第２規制部と、第３規制部とを順次取り付ける場合に比べて、組み立ての際の工程数を減少させることができる。
【００３６】
また、第１実施形態では、上記のように、光源固定部材１３を、Ｃ１方向においてＬＰＨ７９を第１規制部１３２によりＸ２方向端部側からＸ１方向端部側に付勢し、Ｃ２方向においてＬＰＨ７９を第２規制部１３３により感光体ドラム７０側に付勢するように構成する。これにより、感光体ドラム７０の回転軸方向であるＣ１方向（Ｘ方向）において、感光体ドラム７０に対してＬＰＨ７９を確実に位置決めして固定することができるとともに、感光体ドラム７０およびＬＰＨ７９の離間方向であるＣ２方向において、感光体ドラム７０に対してＬＰＨ７９を確実に位置決めして固定することができる。
【００３７】
また、第１実施形態では、上記のように、ＬＰＨ７９のＸ１方向端部側に配置された突出部７９２を、ハウジング部１２の係合穴１２２ａに係合して、ＬＰＨ７９のＣ１方向（Ｘ方向）の位置決めを行うように構成する。これにより、ＬＰＨ７９のＸ１方向端部側において突出部７９２および係合穴１２２ａを係合させて、ＬＰＨ７９のＣ１方向（Ｘ方向）の位置決めを行った上で、ＬＰＨ７９のＸ２方向端部側においてＬＰＨ７９のＣ１方向、Ｃ２方向およびＣ３方向の移動を規制してＬＰＨ７９をハウジング部１２に固定することができる。
【００３８】
また、第１実施形態では、上記のように、突出部７９２のテーパ部７９２ａが係合穴１２２ａに当接することにより、ＬＰＨ７９のＣ１方向（Ｘ方向）の位置決めを行うように構成する。これにより、突出部７９２のテーパ部７９２ａを係合穴１２２ａに当接させて篏合させることができるので、突出部７９２と係合穴１２２ａとの係合隙間を無くすことができる。これにより、ガタツキを無くすことができる。
【００３９】
また、第１実施形態では、上記のように、ＬＰＨ７９を、締結部材１３ａによりハウジング部１２に固定する。これにより、締結部材１３ａにより光源固定部材１３をハウジング部１２に確実に固定することができるので、光源固定部材１３を介して、容易にＬＰＨ７９をハウジング部１２に固定することができる。
【００４０】
また、第１実施形態では、上記のように、光源固定部材１３は、板バネを含む。これにより、１つの板バネによりＣ１方向、Ｃ２方向およびＣ３方向の移動を規制してＬＰＨ７９を容易にハウジング部１２に固定することができる。
【００４１】
（第２実施形態）
次に、図９および図１０を参照して、第２実施形態について説明する。この第２実施形態では、突出部のテーパ部を当接させることによりＬＰＨのＸ方向の位置決めを行う構成の上記第１実施形態とは異なり、突出部の端部を当接させることによりＬＰＨのＸ方向の位置決めを行う構成の例について説明する。
【００４２】
本発明の第２実施形態によるプリンタ２００（図１参照）では、図９および図１０に示すように、ＬＰＨ２０１は、Ｘ１方向側の端部に配置された突出部２０１ａが、ハウジング部１２の側面部２０２に設けられた係合穴２０３に係合している。具体的には、突出部２０１ａは、端部がハウジング部１２の凹状の係合穴２０３の底部２０３ａに当接することにより、ＬＰＨ２０１のＸ方向（Ｃ１方向）の位置決めを行うように構成されている。また、突出部２０１ａは、中空形状に形成されている。なお、プリンタ２００は、本発明の「画像形成装置」の一例であり、ＬＰＨ２０１は、本発明の「光源部」の一例である。また、突出部２０１ａは、本発明の「第１係合部」の一例であり、係合穴２０３は、本発明の「第２係合部」の一例である。
【００４３】
なお、第２実施形態のその他の構成は、上記第１実施形態と同様である。
【００４４】
第２実施形態では、以下のような効果を得ることができる。
【００４５】
すなわち、第２実施形態の構成においても、上記第１実施形態と同様に、Ｃ１方向におけるＬＰＨ２０１のハウジング部１２に対する移動を規制する第１規制部１３２と、Ｃ２方向におけるＬＰＨ２０１のハウジング部１２に対する移動を規制する第２規制部１３３と、Ｃ３方向におけるＬＰＨ２０１のハウジング部１２に対する移動を規制する第３規制部１３４とが一体的に設けられた光源固定部材１３を備えることによって、部品点数を削減することができる。
【００４６】
また、第２実施形態では、上記のように、突出部２０１ａを、端部がハウジング部１２の凹状の係合穴２０３の底部２０３ａに当接することにより、ＬＰＨ２０１のＣ１方向（Ｘ方向）の位置決めを行うように構成する。これにより、突出部２０１ａの端部が凹状の係合穴２０３の底部２０３ａに当接するので、ＬＰＨ２０１のＣ１方向（Ｘ方向）の位置決めを精度よく行うことができる。
【００４７】
なお、第２実施形態のその他の効果は、上記第１実施形態と同様である。
【００４８】
（第３実施形態）
次に、図１１および図１２を参照して、第３実施形態について説明する。この第３実施形態では、ＬＰＨのＸ２方向側の端部のみを感光体ドラム側に付勢する構成の上記第１および第２実施形態とは異なり、ＬＰＨのＸ１方向側の端部も感光体ドラム側に付勢する構成の例について説明する。
【００４９】
本発明の第３実施形態によるプリンタ３００（図１参照）では、図１１および図１２に示すように、ＬＰＨ３０１は、Ｘ１方向側の端部に配置された突出部３０１ａが、ハウジング部１２の側面部３０２に設けられた係合穴３０３に係合している。具体的には、突出部３０１ａは、端部がハウジング部１２の凹状の係合穴３０３の底部３０３ａに当接することにより、ＬＰＨ３０１のＸ方向（Ｃ１方向）の位置決めを行うように構成されている。また、突出部３０１ａは、中空形状に形成されている。なお、プリンタ３００は、本発明の「画像形成装置」の一例であり、ＬＰＨ３０１は、本発明の「光源部」の一例である。また、突出部３０１ａは、本発明の「第１係合部」の一例であり、係合穴３０３は、本発明の「第２係合部」の一例である。
【００５０】
また、第３実施形態では、図１１に示すように、ＬＰＨ３０１のＸ１方向端部側に配置され、ＬＰＨ３０１を感光体ドラム７０側に付勢するバネ３０４を備える。具体的には、バネ３０４は、突出部３０１ａのＹ２方向側の端面に当接して、ＬＰＨ３０１を感光体ドラム７０側（Ｃ２方向）に付勢するように構成されている。なお、バネ３０４は、本発明の「付勢部」の一例である。
【００５１】
なお、第３実施形態のその他の構成は、上記第１実施形態と同様である。
【００５２】
第３実施形態では、以下のような効果を得ることができる。
【００５３】
すなわち、第３実施形態の構成においても、上記第１実施形態と同様に、Ｃ１方向におけるＬＰＨ３０１のハウジング部１２に対する移動を規制する第１規制部１３２と、Ｃ２方向におけるＬＰＨ３０１のハウジング部１２に対する移動を規制する第２規制部１３３と、Ｃ３方向におけるＬＰＨ３０１のハウジング部１２に対する移動を規制する第３規制部１３４とが一体的に設けられた光源固定部材１３を備えることによって、部品点数を削減することができる。
【００５４】
また、第３実施形態では、上記のように、ＬＰＨ３０１のＸ１方向端部側に配置され、ＬＰＨ３０１を感光体ドラム７０側に付勢するバネ３０４を設ける。これにより、ＬＰＨ３０１のＸ１方向端部側においてＬＰＨ３０１を感光体ドラム７０側に付勢しつつ、ＬＰＨ３０１のＸ２方向端部側においてＬＰＨ３０１のＣ１方向、Ｃ２方向およびＣ３方向の移動を規制して、ＬＰＨ３０１をハウジング部１２に対して精度よく位置決めしつつ、確実に固定することができる。
【００５５】
なお、第３実施形態のその他の効果は、上記第１および第２実施形態と同様である。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１〜第３実施形態では、本発明による画像形成装置をプリンタに適用した例について示したが、本発明はこれに限られない。本発明では、画像形成装置をスキャナやプリンタ機能などが一体となった複合機などの装置に適用してもよい。
【００５８】
また、上記第１〜第３実施形態では、ＬＰＨ（光源部）の第１方向（Ｘ方向）における一方の端部近傍に光源固定部材を配置してＬＰＨをハウジング部に固定する構成の例について示したが、本発明はこれに限られない。本発明では、光源部の第１方向における両方の端部近傍に光源固定部材を配置してＬＰＨをハウジング部に固定する構成でもよい。
【００５９】
また、上記第１〜第３実施形態では、光源部が複数のＬＥＤ（発光ダイオード）を含む例について示したが、本発明はこれに限られない。本発明では、光源部がＬＥＤ以外の光源を含む構成であってもよい。
【００６０】
また、上記第１〜第３実施形態では、ＬＰＨ（光源部）に突出部（第１係合部）が一体的に設けられている例について示したが、本発明はこれに限られない。本発明では、第１係合部が光源部とは別個に設けられていてもよい。
【００６１】
また、上記第１〜第３実施形態では、光源固定部材は、互いに略直角に交差するＣ１方向（第１方向）、Ｃ２方向（第２方向）およびＣ３方向（第３方向）におけるＬＰＨ（光源部）の移動を規制する構成の例を示したが、本発明はこれに限られない。本発明では、光源固定部材は、互いに直角に交差する方向から少しずれた第１方向、第２方向および第３方向における光源部の移動を規制する構成でもよい。
【００６２】
また、上記第１〜第３実施形態では、光源固定部材は、ＬＰＨ（光源部）をＣ１方向（第１方向）、Ｃ２方向（第２方向）およびＣ３方向（第３方向）に付勢する構成の例を示したが、本発明はこれに限られない。本発明では、光源固定部材は、光源部の第１方向、第２方向および第３方向に付勢せずに移動を規制するように構成してもよい。
【００６３】
また、上記第１〜第３実施形態では、光源固定部材は、板バネにより構成されている例を示したが、本発明はこれに限られない。本発明では、光源固定部材は、板バネ以外の部材により構成されていてもよい。
【００６４】
また、上記第１〜第３実施形態では、光源固定部材は、ネジによりハウジング部に固定（ネジ止め）されている例を示したが、本発明はこれに限られない。本発明では、たとえば、光源固定部材は、かしめや接着などでハウジング部に固定されていてもよい。
【符号の説明】
【００６５】
１２  ハウジング部
１３  光源固定部材
１３ａ  締結部材
７０  感光体ドラム（像担持体）
７９、２０１、３０１  ＬＰＨ（光源部）
１００、２００、３００  プリンタ（画像形成装置）
１２２ａ、２０３、３０３  係合穴（第２係合部）
１３２  第１規制部
１３３  第２規制部
１３４  第３規制部
２０１ａ、３０１ａ、７９２  突出部（第１係合部）
２０３ａ、３０３ａ  底部
３０４  バネ（付勢部）
７９２ａ  テーパ部
【図１】
2015047861.tif 000003
【図２】
2015047861.tif 000004
【図３】
2015047861.tif 000005
【図４】
2015047861.tif 000006
【図５】
2015047861.tif 000007
【図６】
2015047861.tif 000008
【図７】
2015047861.tif 000009
【図８】
2015047861.tif 000010
【図９】
2015047861.tif 000011
【図１０】
2015047861.tif 000012
【図１１】
2015047861.tif 000013
【図１２】
2015047861.tif 000014